(57)【要約】      （修正有）【課題】支柱支持台の上部表面に広告を直接印刷するのでなく、支柱支持台に幟旗の広告機能特性と同質の広告機能特性を確保する。【解決手段】形状が４角の厚紙において，相対する２辺に覆設片１２を設ける。厚紙には、幟旗の広告情報と同質の広告情報などを印刷し、印刷後全体に防水コーティングを施して広告物１１とする。その広告物１１を支柱支持台１に載置し、支柱支持部材３の雄ねじ部３ｂを支柱支持台１に螺合した上、フランジ部４で、着脱自在に取り付けた後、覆設片１２の孔部１３に繋止した取付け紐２０によって支柱支持台に繋縛する。【選択図】図３
0003115389.tif 000002
【実用新案登録請求の範囲】
【請求項１】
左右に一対の覆設片と表面に印刷部と中央に嵌通孔とを備え、形状が４角の厚紙よりなる広告物及び
フランジ部と雄ねじ部とを備える支柱支持部材と雌ねじ部を備える支柱支持台部とよりなる支柱支持台並びに
取付け紐により構成される広告物支柱支持台であって、
前記広告物を前記支柱支持台部に載置し、前記雄ねじ部を前記嵌通孔を通して前記雌ねじ部に螺合し、前記フランジ部で前記広告物を前記支柱支持台部に挟着し、前記覆設片に繋止された前記取付け紐によって前記広告物を前記支柱支持台に繋縛してなることを特徴とする支柱支持台用広告物。
【考案の詳細な説明】
【技術分野】
【０００１】
本考案は、幟旗用支柱支持台に載置してなる広告物に関するものである。
【背景技術】
【０００２】
支柱支持台は、幟旗用支柱を起立状態に保持するのみを目的として実用に共されている。これら通常使用されている支柱支持台には、上部表面に、製造者の名称、型番などの識別記号を記載する例が認めらる。
【０００３】
しかし、製造者名などを公知にする効果はあるが、幟旗の有する広告機能とは異質のものであり、幟旗の有する広告機能と同質の広告機能は果たしえないという欠点があった。
【０００４】
支柱支持台の上部表面に、幟旗の有する広告機能と同質の広告機能を持たせるためには、広告文などを直接支柱支持台に掲載する手法も考えられるが、支柱支持台と幟旗は独立して使用される場合が多く、この手法は適さない。
【０００５】
本考案と同じ出願人が、さきに出願した支柱支持台には、支柱支持台の上部表面に、広告体を付加する記述が見当たらない。（特開２００２―２１５０７３号公報）
【特許文献１】特開２００２―２１５０７３号公報
【考案の開示】
【考案が解決しようとする課題】
【０００６】
解決しようとする問題点は、支柱支持台の上部表面に広告情報を直接印刷せず、支柱支持台に幟旗の広告機能特性と同質の広告機能特性を確保する点である。
【課題を解決するための手段】
【０００７】
左右に一対の覆設片と表面に印刷部と中央に嵌通孔とを備え、形状が４角の厚紙よりなる広告物及び
フランジ部と雄ねじ部とを備える支柱支持部材と雌ねじ部を備える支柱支持台部とよりなる支柱支持台並びに
取付け紐により構成される広告物支柱支持台であって、
前記広告物は、前記支柱支持台部に載置され、前記嵌通孔を通して、前記雄ねじ部を前記支柱支持台部の前記雌ねじ部に螺合し、前記フランジ部で挟着され、前記繋止片に繋止された前記取付け紐によって前記広告物を前記支柱支持台に繋縛する。
【考案の効果】
【０００８】
本考案の支柱支持台用広告物は、支柱に掲げた幟旗の広告機能特性と同質の広告機能特性を印刷してあるので、幟旗の広告と相俟ってより効果的ならしめるばかりでなく、殺風景な支持台に装飾的効果をもたらし、風致、美観に寄与するという側面的利点を生産する。また、幟旗は風にゆらぐが、本考案の支柱支持台用広告物は、素材が厚紙であり、支柱支持台に挟着されているので、風に煽られることもなく、かつ、覆設片に繋止された取付け紐によって広告物を支柱支持台に繋縛するので、支柱支持台の取付け面が平坦でなくても、保持できる利点があり、しかも、安価である。
【考案を実施するための最良の形態】
【０００９】
形状が４角の厚紙において，相対する２辺に覆設片を設ける。厚紙には、印刷部を設け、幟旗の広告情報と同質の広告情報を印刷して広告物を形成する。覆設片には、孔部を設け、取付け紐を繋止しておく。広告物を支柱支持台に載置し、広告物の嵌通孔を通して、支柱支持部材の雄ねじ部を支柱支持台の雌ねじ部に螺合し、フランジ部で、着脱自在に取り付ける。覆設片の孔に繋止した取付け紐により広告物を支柱支持台に繋縛する。
【実施例】
【００１０】
図１は、本考案による広告物１１を支柱支持台に実装した実施例の平面図である。図２は、本考案による実施例の左側面図である。図３は、図１の部分的断面図であり、広告物１１の覆設片１２の孔部１３に取付け紐２０を通し、支柱支持台１に広告物１１を繋縛した図を現している。
【００１１】
広告物１１は、形状が４角で、大きさが約380ｘ380mm、厚さ約１mmの厚紙であって，相対する２辺を長さ約１００ｍｍに折り曲げた覆設片１２を有する。広告物１１の表面の印刷部１５には、広告情報などを印刷し、印刷後全体に防水コーティングを施す。
【００１２】
左右一対の覆設片１２はスジ押し加工を施し谷折りし支柱支持台を覆うようにし、先端に孔部１３を備え、取付け紐２０を繋止する。孔部１３は、取付け紐２０を繋止するするのに充分な強度があればよく、はと目を利用して補強してもよく、孔部にかえて、取付け紐２０の端末を接着、固定金具などで固定する方法でもよい。覆設片１２の機能は、悪環境で傷んだ広告物の周辺が風で煽られるのを防ぐためばかりでなく、支柱支持台の広告物載置面が平坦でない場合でも、広告物を支柱支持台の上面に保持できる効果がある。また、広告物を簡単に支柱支持台の上面に載置するのみの場合は、取付け紐２０は使用しなくてよい。
【００１３】
この広告情報を、幟旗の広告情報に関連付ければ、より高度の広告効果がえられる。また、広告情報にかえて、装飾印刷を施せば、幟旗を屋外で使用する場合、風致と美観の維持に効果的である。
【００１４】
広告物１１を支柱支持台１に載置し、支柱支持部材３の雄ねじ部３ｂを、広告物１１の嵌通孔１４を通した後、支柱支持台１の雌ねじ部１ｂに螺合し、着脱自在に取り付ける。広告物１１は、支柱支持部材３のフランジ部４で、挟着される。覆設片１２の孔部１３に繋止された取付け紐２０によって、広告物１１を支柱支持台１に繋縛する。取付け紐２０は、通常の紐のほか、ゴム製でもよい。
【００１５】
支柱支持台１は、幟旗用支柱２を起立状態に保持する。幟旗用支柱２は、支柱支持部材３に、締付ナット３ａで固定される。
【００１６】
支持台の総重量を増やし、強風などに耐えられるように、支持台は、積み重ねられる構造になっている（特開２００２―２１５０７３号参照）。本考案は、積み重ねられた支持台の最上部の支柱支持台１に適用する。
【産業上の利用可能性】
【００１７】
本考案の場合、支柱支持台の上面は、平板を載置可能の構造を有しているので、平板形状の広告物を着脱自在に取り付けることが可能であったが、支柱支持台の上面の形状が、平面に限らず、異形であり、梯形型、半球状型，円錐状型などであっても、取付け紐によって、広告物を繋縛できる手段を利用すれば、その形状を覆う用材に広告情報を印刷して広告物として、同じ目的を達成することができる。
【図面の簡単な説明】
【００１８】
【図１】本考案による実施例の平面図である。
【図２】本考案による実施例の左側面図である。
【図３】図１の支柱支持部材を除くＡ-Ａ断面図である。
【符号の説明】
【００１９】
１  支柱支持台
１ａ  雌ねじ部
２  幟旗用支柱
３  支柱支持部材
３ａ  締付けナット
３ｂ  雄ねじ部
４  フランジ部
１１  広告物
１２  覆設片
１３  孔部
１４  嵌通孔
１５  印刷部
２０  取付け紐
【図１】
0003115389.tif 000003
【図２】
0003115389.tif 000004
【図３】
0003115389.tif 000005